(57)【要約】【課題】大きな車の後ろに付いて走行中又渋滞時に置いても見えない前方の信号の状況が予測可能となる事で気分的に安心と落ち着きを保ち冷静な判断が出来、咄嗟の時でも的確な対応動作が出来る為、比較的大事故になる事が少ない交通安全に関する、ガードレール上の補助信号機を提供する。【解決手段】交差点及び横断歩道の信号の手前５０メートル１００メートル１５０メートル２００メートル辺りのガードレール上に小さくした３色連なった信号機又は色別に小さく単体にした信号機を複数取り付け既存の信号機の配電盤より地下を通した配線により電気信号として送られて点灯する、ガードレール上の補助信号機。【選択図】    図１
2009191505.tif 000002
【特許請求の範囲】
【請求項１】
道路の端に設けられたガードレールの上に小さくした３色連なった信号機を取り付けた事を特徴としたガードレール上の小さな補助信号機。
【請求項２】
道路の端に設けられたガードレールの上に小さくして３色別々に単体とした信号機を複数取り付けた事を特徴とした請求項１記載のガードレール上の小さな補助信号機。
【請求項３】
道路の端に設けられたガードレールの上に小さくした信号機の屋根は雪が積もって信号の灯が見え難くならないよう山形の屋根にして雪の重みで屋根から雪が落ちるようにした事を特徴とした請求項１又は２記載のガードレール上の小さな補助信号機。
【発明の詳細な説明】
【技術分野】
【０００１】
此の発明は、交差点の手前及び横断歩道帯の有る処などで大きな車の後ろに付いて走行している時、前方の信号が見えず危険な思いをする時が有り、そんな時横を向くと、ガードレール上の補助信号機が有れば、見えない前方の信号の状態が予測を付きやすく前の車がブレーキを掛けるのか進むのかある程度の予測が付く事で危険な思いが少なくなる、ガードレール上の小さな補助信号機で有り、交通安全に関するものである。
【０００２】
此の発明は、渋滞時大きな車の後ろに付いていると前方が何も見えず気分がイライラして来る、その時、道路脇のガードレール上に文字・絵文字・信号などで前方の情報が分かるようにしてある事により気持ちが落ち着き心のゆとりが生まれ安全運転が出来る、ガードレール上の小さな補助信号機は交通安全に関するものである。
【背景技術】
【０００３】
従来、信号機は交差点、横断歩道帯が有る処の上空に設置されているが信号機手前５０メートル・１００メートル・１５０メートル・２００メートル等で前に大きな車が走行していると前方の信号が確認する事が出来ず危険な思いをする事がある、又先に出願した縁石仕切り側面補助信号灯・特願２００８−０２７２９０では地面よりわずか数十センチと言う高さしかなく、雨・雪に弱いと言った欠点が有ったがガードレールに信号機を設置することで高さが格段に違い多少の雨・雪にも影響を受ける事が少ないと言った利点を持たせる事ができた。
【０００４】
【特許文献１】実用新案登録  第３０８１２６７  号公報
【発明の開示】
【発明が解決しようとする課題】
【０００５】
従来からある信号機は交差点とか横断歩道帯の上空に設置され大きな車の後ろを付いて走っていると信号が見えず危険な思いをする事が有ると言った欠点が有った。
【０００６】
従来からある信号機は渋滞で５０メートル・１００メートル・１５０メートル・２００メートル後方に位置していると信号が変わっているのかどうか分からずイライラすると言った欠点が有った。
【０００７】
従来からある信号機は地面より上空に設置するには歩道部分に基礎を作り鉄製の支柱から腕状の物を伸ばし信号灯を取り付ける、そのため歩道の通路が狭められると言った欠点が有った。
【０００８】
先に出願した縁石仕切り側面補助信号灯は大雨・大雪には弱い一面を持っていると言った欠点が有った、本発明はこれらの欠点を除くためになされたものである。
【課題を解決するための手段】
【０００９】
交差点及び横断歩道の手前５０メートル・１００メートル・１５０メートル・２００メートル手前の道路の端に設けられたガードレールの上に小さくした３色連なった信号機を取り付けた、ガードレール上の小さな補助信号機。
【００１０】
交差点及び横断歩道の手前５０メートル・１００メートル・１５０メートル・２００メートル手前の道路の端に設けられたガードレールの上に小さくして３色別々に単体とした物を複数取り付けた、ガードレール上の小さな補助信号機。  
【００１１】
交差点及び横断歩道の手前５０メートル・１００メートル・１５０メートル・２００メートル手前の道路の端に設けられたガードレールの上に小さくした信号機の屋根は雪が積もって信号の灯が見え難くならないよう山形の屋根にして雪の重みで屋根から雪が落ちるようにした、ガードレール上の小さな補助信号機。
【００１２】
一般に使用されているガードレールは鉄板を弓形にして丸い鉄パイプの支柱に横に長く繋げた物だが鉄パイプの柵にも取り付ける、ガードレール上の小さな補助信号機。
【００１３】
３色が連なって小さくした補助信号機及び各色が単体となった信号機も同じく水が入らないよう防水には気を付けた、ガードレール上の小さな補助信号機。
【００１４】
ガードレール上の小さな補助信号機は交差点及び横断歩道帯の手前５０メートル・１００メートル・１５０メートル・２００メートルに限定するものではない必要と思う場所なら何処でもかまわない、ガードレール上の小さな補助信号機。
【発明の効果】
【００１５】
本発明のガードレール上の小さな補助信号機は交差点及び横断歩道の手前５０メートル・１００メートル・１５０メートル・２００メートル手前の道路の端に設けられたガードレールの上に、３色が連なった小さな信号機を設置する又色別に単体にした小さな信号機を複数設置する、雪の少ない地方では信号機の屋根の形は平たくてもかまわないが雪の多い地方では屋根の形は雪の自重ですべり落ちるようにとんがり屋根にした、此のガードレール上の小さな補助信号機を取り付ける事により大きな車の後ろを付いて走行していても見えない前方の信号の情報が横を向く事により、ガードレール上の小さな補助信号機を見る事で前方の信号の状態を知る事が出来るため、イライラ感が少なくなり心に余裕が生まれる事により追突事故などが少なくなる効果が生まれる又先に出願した縁石仕切り側面補助信号灯・特願２００８−０２７２９０と一緒に設置する事により効果は倍増する交通安全を目的としたガードレール上の小さな補助信号機。
【発明を実施するための最良の形態】
【００１６】
以下図面に基づいて詳細に説明する。  
交差点及び横断歩道の手前５０メートル・１００メートル・１５０メートル・２００メートル手前の道路の端に設けられたガードレールの上に小さくした３色連なった信号機１を取り付けた、ガードレール４上の小さな補助信号機１，２。
【００１７】
交差点及び横断歩道の手前５０メートル・１００メートル・１５０メートル・２００メートル手前の道路の端に設けられたガードレール４の上に小さくして３色別々に単体とした信号機２を複数取り付けた、ガードレール４上の小さな補助信号機１，２。  
【００１８】
交差点及び横断歩道の手前５０メートル・１００メートル・１５０メートル・２００メートル手前の道路の端に設けられたガードレールの上に小さくした信号機の屋根は雪が積もって信号の灯が見え難くならないよう山形の屋根３にして雪の重みで屋根から雪が落ちるようにした、ガードレール上の小さな補助信号機１、２。
【００１９】
３色が連なって小さくした補助信号機１及び各色が単体となった信号機２も同じく水が入らないよう防水には気を付けた又歩道の端に設置するような場合は歩道面に信号機１，２が飛び出し歩行者の衣服などが破れないように気を付けて設置する、ガードレール上の小さな補助信号機１，２。
【００２０】
屋根は寒冷地用３、温暖地用２２，２３と決め付けている訳ではなく自由にトンガリ屋根３・丸型のかまぼこ屋根２２・平たい屋根２３にすれば良いが雪が多い地方では勾配が強いトンガリ屋根３が雪の積もりが少なくて済む、ガードレール上の小さな補助信号機１，２。
【実施例】
【００２１】
交差点及び横断歩道の手前５０メートル・１００メートル・１５０メートル・２００メートル手前の道路の端に設けられたガードレール４の上に小さくした信号機１，２を取り付ける、その信号機は３色が一体に納められた信号機１と各色が別々に単体とした信号機２がありどちらもガードレールの上にする又小さく３色が一体にしたものや、小さくして単体としたものも、どちらも信号機１，２の屋根の部分には寒冷地用として尖がった屋根３の作りにした物も有る、どちらもガードレール４の上にするが特に歩道８の端に有るガードレール４は歩行者の通行中に服などに引っ掛かる事がないようガードレール4の面よりも飛び出る事がないよう気を付けて設置した又点灯するための電気は前方に有る交差点及び横断歩道帯に設置されている信号機の配電盤１４より地下を通した電線２１により電気信号として送られ点灯する、ガードレール４上の小さな補助信号機１，２。
【００２２】
信号機は赤・黄・青の発光型信号機１，２だけでなく一つの電球が３色に変わる電飾灯・液晶画面などを使い文字・絵文字なども出るようにした、ガードレール４上の小さな補助信号機１，２。
【産業上の利用可能性】
【００２３】
従来、交差点内及び交差点周辺での交通事故は大小を問わず、他の場所での交通事故より格段に多い、その事故の一環として信号の見落とし、信号の切り替わりで急ブレーキを踏む方又は大きな車に付いて走行して信号が切り替わり前の車がブレーキを掛けた事に気付くのが遅れた方など命を無くすような大きな事故も有る、本発明のガードレール上の小さな補助信号機が付いていれば、前の信号機が見えなくとも５０メートル・１００メートル・１５０メートル・２００メートルと信号機の手前から補助信号機の点灯により信号機の切り替わりの予測が付き、信号の切り替わりで慌てて急ブレーキを踏み後続車に追突される事が少なくなる又大きな車の後続車で有っても前もって前方の信号の予測が付き安心して冷静に対処出来る、ガードレール上の小さな補助信号機。
【図面の簡単な説明】
【００２４】
【図１】本発明の３色連なった信号機及び色別に単体になった信号機をガードレール上に設置した事を示したガードレール上の小さな補助信号機の想像図である。
【図２】本発明のガードレールに寒冷地用の勾配が付いたトンガリ屋根に３色連なった信号機を設置した事を示した側面図である。
【図３】本発明のかまぼこ型の屋根に色別に単体とした信号機を取り付けた事を示した側面図である。
【図４】本発明の３色が連なった小さくした信号機及び各色が単体にした信号機の屋根がトンガリ屋根、丸型のかまぼこ屋根、平たくした屋根と各種ありガードレールに取り付ける前の状態を示した側面図である。
【図５】本発明のガードレール上の小さな補助信号機を取り付けるためのガードレールと電線を引くための地下を通した配管と配線を示した側面図である。
【図６】本発明の３色連なった信号機と色別に単体とした信号機を示した正面図である。
【符号の説明】
【００２５】
１  ３色連なった信号機。
２  色別に単体とした信号機。
３  トンガリ屋根。
４  ガードレール。
５  ガードレールに信号機を止める為に銜え込むようにした腕状の金属版。                  
６  ガードレールの支柱。
７  各種の信号機得を納めるための外側の容器。
８  歩道。
９  車道。
１０  停止線。
１１  交差点。
１２  車道の中央線。
１３  交差点の中空に設置された信号機。
１４  交差点にある信号機の配電盤。
１５  交差点にある支柱。
１６  トンガリ屋根の庇。
１７  着色レンズ。
１８  電球。
１９  ソケット部分。
２０  地下を通してきた配管。
２１  電線
２２  丸型かまぼこ屋根得を示した。
２３  平屋根を示した。
【図１】
2009191505.tif 000003
【図２】
2009191505.tif 000004
【図３】
2009191505.tif 000005
【図４】
2009191505.tif 000006
【図５】
2009191505.tif 000007
【図６】
2009191505.tif 000008